(57)【要約】【課題】小さな側溝や溝蓋を外し難い排水溝にも挿入し易く、汚泥等を引き取り除去することも、突き取り除去することも可能とし、また取り込んだ汚泥等の漏出が少なく、水捌けがよく、効率よく作業ができる、簡易で低製造コストの溝清掃具の提供を課題とする。【解決手段】屋外の側溝や屋内からの排水溝内に溜まった土砂やゴミ等の汚泥を掻き取る溝清掃具であって、中空箱状に形成した清掃体１０と清掃体１０と連結する操作棒２０とで構成され、清掃体１０には、その一側壁を開放してゴミ取入口１１を設けると共に、ゴミ取入口１１に対応する背壁１０ａ、左右側壁１０ｂ、１０ｃ、底壁１０ｅ、上壁１０ｄのうち、底壁１０ｅを除く少なくとも背壁１０ａ及び左右側壁１０ｂ、１０ｃに複数の水放出孔１２を設け、且つ前記操作棒２０の下端を清掃体１０の上壁に対して回動自在に連結してなる。【選択図】      図２
0003152182.tif 000002
【実用新案登録請求の範囲】
【請求項１】
屋外の側溝や屋内からの排水溝内に溜まった土砂やゴミ等の汚泥を掻き取る溝清掃具であって、中空箱状に形成した清掃体と、該清掃体と連結する操作棒とで構成され、前記清掃体には、その一側壁を開放してゴミ取入口を設けると共に、該ゴミ取入口に対応する背壁、左右側壁、底壁、上壁のうち、底壁を除く少なくとも背壁及び左右側壁に複数の水放出孔を設け、且つ前記操作棒の下端を清掃体の上壁に対して回動自在に連結してなることを特徴とする溝清掃具。
【請求項２】
ゴミ取入口は斜め上方に向けて開口すると共に、ゴミ取入口の底を構成する底壁を、該ゴミ取入口から突出させて掻き取り部としていることを特徴とする請求項１に記載の溝清掃具。
【請求項３】
操作棒は、下端に設けた軸着部と清掃体の上壁に設けた軸受部によって、清掃体の前後方向に１８０度回動するように構成してあることを特徴とする請求項１又は２に記載の溝清掃具。
【考案の詳細な説明】
【技術分野】
【０００１】
本考案は溝清掃具に関する。
【背景技術】
【０００２】
清掃し難い細い屋外の側溝や、溝蓋の開け難い屋内からの排水溝内に対して、溜まった砂や土、或いはゴミ等の汚泥を効率よく掻き取り、或いは突き取れる溝清掃具が求められている。
特開２００７−２７７８３９号公報には、溝内を清掃する清掃具本体（２）と、伸縮可能な柄（３）とからなる清掃具が開示されている。前記清掃具本体（２）は略コーン状、略筒状又は略椀状の形状をしており、一端側にゴミ取入口（４）と他端側を閉塞してスリット状の排出孔（５）が形成されている。前記柄（３）は、上下２本のパイプ材（９・１０）をグリップ（１２）で締着して伸縮自在にしている。そして前記柄（３）を前記ゴミ取入口（４）側の連結部材（６）に軸着することで、溝に挿入した際に、前記清掃具本体（２）の角度を溝底やコーナー部位に沿うよう前後方向に自由に変えられる構成としている（特許文献１）。
また特開２００３−２１３７８４号公報には、握柄体（１）と、該握柄体（１）の下端に回動可能に連結して土砂やゴミ等を掬い取る掬取体（２）とからなる側溝用清掃具が開示されている。前記握柄体（１）は、長手方向に軸受筒（５）を取り付けてロッド状の操作体（６）を挿通しており、該操作体（６）の下端に二股状の連結体（７）が接続されている。前記掬取体（２）は、前記握柄体（１）の下端部で枢着部（３）により取り付けられている。前記連結体（７）は前記掬取体（２）の掬取先端部（２ｃ）に枢着されている。前記操作体（６）を上方に引き上げると掬取体（２）が掬取位置（Ａ）まで回動し、下方に引き下げると前記掬取体（２）が廃棄位置（Ｂ）まで回動する（特許文献２）。
また特開２０００−１９２５３７号公報には、操作棒（１１）と、該操作棒（１１）の先端に設けられる掻き寄せ部材（１６）とで構成される排水溝清掃装置が開示されている。前記操作棒（１１）は、保持部材（１２）と挿入部材（１３）の２本で形成され、ネジ部（１２Ａ）と止め具（１２Ｂ）とで伸縮できるようにしている。前記挿入部材（１３）の先端に支持具（１８）が設けられ、掻き寄せ部材１６は蝶番（１５）を介して支持具（１８）に溶接して取り付けている。これにより掻き寄せ部材（１６）がストッパ（１４）の位置まで回動できるようにしている。（特許文献３）。
【先行技術文献】
【特許文献】
【０００３】
【特許文献１】特開２００７−２７７８３９号公報
【特許文献２】特開２００３−２１３７８４号公報
【特許文献３】特開２０００−１９２５３７号公報
【考案の概要】
【考案が解決しようとする課題】
【０００４】
上記特許文献１に示すような清掃具の場合、清掃具本体（２）の他端側を閉塞しており、且つ小さなスリット状の排出孔（５）を設けているだけであるので、水捌けが悪く、水量の多い側溝や排水溝での清掃では、水が土、砂、ゴミ等の汚泥と一緒に取り込まれて、分離除去に手間がかかる。また清掃具本体（２）の連結部材（６）が邪魔になって、柄（３，１０）を連結部材（６）と平行になるような位置までは回し難い。よって柄（３、１０）を突き出して、汚泥等を突き取る清掃には不向きである。
また特許文献２に示す側溝用清掃具の場合、掬取体（２）を、掬取位置（Ａ）と廃棄位置（Ｂ）とに回動することができるが、その回動角度が約６０度程度しかないので、溝蓋を外せない小さな側溝等には挿入することができない欠点がある。
また特許文献３に示す排水溝清掃装置の場合、掻き寄せ部材（１６）が１枚の板で形成されているので、溝の内部で土や砂又はゴミや汚泥等を掻き寄せる際に、板状の該掻き寄せ部材（１６）の左右から汚泥等が流出し、清掃作業の効率が上がらない問題がある。
【０００５】
そこで本考案は上記従来技術の問題を解消し、小さな側溝や溝蓋を外し難い排水溝にも挿入し易くすると共に、清掃体を手前方向に引いて汚泥等を引き取り除去することも、前方へ押して突き取り除去することも可能とし、また一旦取り込んだ汚泥等の漏出が少なく、水捌けがよく、効率よく作業ができる、簡易で低製造コストの溝清掃具の提供を課題とする。
【課題を解決するための手段】
【０００６】
上記課題を達成するため本考案の溝清掃具は、屋外の側溝や屋内からの排水溝内に溜まった土砂やゴミ等の汚泥を掻き取る溝清掃具であって、中空箱状に形成した清掃体と、該清掃体と連結する操作棒とで構成され、前記清掃体には、その一側壁を開放してゴミ取入口を設けると共に、該ゴミ取入口に対応する背壁、左右側壁、底壁、上壁のうち、底壁を除く少なくとも背壁及び左右側壁に複数の水放出孔を設け、且つ前記操作棒の下端を清掃体の上壁に対して回動自在に連結してなることを第１の特徴としている。
また本考案の溝清掃具は、上記第１の特徴に加えて、ゴミ取入口は斜め上方に向けて開口すると共に、ゴミ取入口の底を構成する底壁を、該ゴミ取入口から突出させて掻き取り部としていることを第２の特徴としている。
また本考案の溝清掃具は、上記第１又は第２の特徴に加えて、操作棒は、下端に設けた軸着部と清掃体の上壁に設けた軸受部によって、清掃体の前後方向に１８０度回動するように構成してあることを第３の特徴としている。
【考案の効果】
【０００７】
請求項１に記載の溝清掃具によれば、屋外の側溝や屋内からの排水溝内に溜まった土砂やゴミ等の汚泥を掻き取る溝清掃具であって、中空箱状に形成した清掃体と、該清掃体と連結する操作棒とで構成され、前記清掃体には、その一側壁を開放してゴミ取入口を設けると共に、該ゴミ取入口に対応する背壁、左右側壁、底壁、上壁のうち、底壁を除く少なくとも背壁及び左右側壁に複数の水放出孔を設け、且つ前記操作棒の下端を清掃体の上壁に対して回動自在に連結してなるので、
操作棒を操作して清掃体を側溝や排水溝内で動作させることにより、汚泥等をゴミ取入口から清掃体内に取り込んで、清掃を行うことができる。その際、清掃体を箱状としているので、側溝や排水溝内で溝の形状と合致して、溝の隅に沿って溝内を綺麗に清掃することができる。また清掃体が箱状であるので、周囲が囲まれており、清掃体内に取り込まれた汚泥等が側方等に漏出するのを確実に防止できる。
しかも底壁を除く少なくとも背壁及び左右側壁に複数の水放出孔を設けているので、水が多い側溝や排水溝内の土砂やゴミ等の汚泥の掻き取り時に、前記清掃体が水で満杯になることがなく、水捌けをよくすることができ、効率よく清掃作業ができる。
また操作棒の下端を清掃体の上壁に対して回動自在に連結しているので、該操作棒を回動することで、操作棒に対する清掃体の角度を、側溝や排水溝内に溜まった土砂やゴミ等の汚泥の状況に合わせ、左右方向（水平方向）及び縦方向（垂直方向）に調整することができる。これにより、側溝や排水溝の曲がり具合や傾斜の具合、溝内での汚泥等の堆積位置等に応じた的確な作業が可能となり、効率よく清掃ができる。
勿論、構造はゴミ取入口を設けた中空箱状の清掃体に操作棒を回動自在に連結したものであるので、簡易であり、製造コストを抑えることができる。
【０００８】
また請求項２に記載の溝清掃具によれば、請求項１に記載の構成による上記作用効果に加えて、ゴミ取入口は斜め上方に向けて開口すると共に、ゴミ取入口の底を構成する底壁を、該ゴミ取入口から弧状に突出させて掻き取り部としているので、
斜め上方に向けて開口したゴミ取入口により、広い口から土砂やゴミ等の汚泥を効率よく掬い取り、取り込むことができる。加えて、底壁をゴミ取入口から突出させて掻き取り部としているので、該突出した掻き取り部により、側溝や排水溝内の底に固まった土砂やゴミ等の汚泥を、容易に、スムーズに掻き取ることができる。よって結果として、清掃作業を効率よく行うことができる。
【０００９】
また請求項３に記載の溝清掃具によれば、請求項１又は２に記載の構成による上記作用効果に加えて、操作棒は、下端に設けた軸着部と清掃体の上壁に設けた軸受部によって、清掃体の前後方向に１８０度回動するように構成してあるので、
操作棒を手前方向に引いて清掃体による汚泥の引き取り除去を行うことも、操作棒を前方へ押して清掃体による汚泥の突き取り除去を行うことも可能となり、効率のよい清掃ができる。
勿論、操作棒と清掃体を平行にすることで、溝清掃具の嵩を小さく、長手方向に細くすることができ、それによって小さな側溝や排水溝等、そして溝蓋を外し難い場所でも清掃体を容易に挿入して清掃作業を行うことができる。
【図面の簡単な説明】
【００１０】
【図１】本考案の実施形態に係る溝清掃具の斜視図である。
【図２】本考案の実施形態に係る溝清掃具の要部の拡大斜視図である。
【図３】本考案の溝清掃具を溝に挿入して土砂やゴミ等の汚泥を引き取る作業を示す図である。
【図４】本考案の溝清掃具を溝に挿入して土砂やゴミ等の汚泥を突き取る作業を示す図である。
【考案を実施するための形態】
【００１１】
図１を参照して、本考案の実施形態に係る溝清掃具を説明する。
溝清掃具は清掃体１０と、操作棒２０とを備える。
【００１２】
図２を参照して、清掃体１０は中空箱状に形成されている。即ち、ゴミ取入口１１を除く、背壁１０ａ、左右両壁１０ｂ、１０ｃ、上壁１０ｄ、及び底壁１０ｅで囲まれた直方体状の中空箱体に形成されている。
清掃体１０は、その材質を、例えば鉄鋼板或いはステンレス鋼板を用いて形成することができる。しかし、樹脂やその他の材料で構成することも可能である。
【００１３】
清掃体１０の背壁１０ａ及び左右両壁１０ｂ、１０ｃには、それぞれ複数の水放出孔１２を設けている。水放出孔１２は背壁１０ａには全面に均等に設けている。一方、左側壁１０ｂと右側壁１０ｃには、前記ゴミ取入口１１に近い領域は少なく或いは設けず、背壁１０ａに近い領域には多く設けるようにしている。上壁１０ｄと底壁１０ｅとには水放出孔１２を設けていない。
水放出孔１２を背壁１０ａや左右両壁１０ｂ、１０ｃに多数設けることで、図３、図４に示すように、水が多い側溝Ｄや排水溝Ｄ内の土砂ＳやゴミＧ等の汚泥の掻き取り時に、前記清掃体１０内部が水で満杯になることなく水捌けがなされ、土砂Ｓ、ゴミＧ等の汚泥のみが残るようにして清掃作業の効率が上がる。
【００１４】
なお清掃体１０の箱は、板金加工で形成することができる。即ち、ステンレス鋼板を折り曲げて底壁１０ｅと該底壁１０ｅから立ち上がる左右両側壁１０ｂ、１０ｃを板金形成する。その際、左右両側壁１０ｂ、１０ｃとなる部分に予め複数の水放出孔１２を形成しておくこともできる。
背壁１０ａは、長方形状の横長板を用いて、長手方向の両側を横方向に折り曲げ、前記左右両側壁１０ｂ、１０ｃと同じ高さにする。前記折り曲げた部分を前記左右両側壁１０ｂ、１０ｃ内側に挿入して、鋲Ｂ等で結合する。鋲Ｂの代わりに溶接等を用いてもよい。  上壁１０ｄは、長方形状の平面板を用いて、長手方向の両側を下方に折り曲げて形成する。この板を前記左右両側壁１０ｂ、１０ｃと背壁１０ａ板に覆せ、前記折り曲げた部分で、鋲Ｂ等で結合する。
【００１５】
前記ゴミ取入口１１は、斜め上方に向けて開口するようにしている。これによりゴミ取入口１１を広くして、汚泥等を取り込み易くすることができる。このゴミ取入口１１の形成は、左右両側壁１０ｂ、１０ｃを折り曲げ形成する際に、その端部を予めカットした状態にすることで、容易に形成することができる。またゴミ取入口１１を斜め上方に向けて開口させたことで、当然ながら上壁１０ｄは底壁１０ｅよりも寸法が短くなる。
【００１６】
ゴミ取入口１１の底をなす底壁１０ｅは、ゴミ取入口１１から弧状に突出させて、掻き取り部１３としている。この掻き取り部１３は、溝清掃の際に、溝底とその上に固まって溜まった汚泥等との間に楔のごとく侵入して、汚泥を掻き取る。これにより、側溝Ｄや排水溝Ｄ内で固まった土砂ＳやゴミＧ等の汚泥を掻き取り易く、清掃作業が短縮されて作業効率を高められる。
【００１７】
清掃体１０の上壁１０ｄの前部（ゴミ取入口１１寄り）の中央位置に軸受部１４を設けている。この軸受部１４は、略半円形状の扁平な突出本体１４ａが上壁１０ｄから垂直に突出するように、前記上壁１０ｄに固定されており、且つその扁平な突出本体１４ａに軸孔１４ｂが形成された構成になされている。
前記扁平な突出本体１４ａは清掃体１０の上壁１０ｄの長手方向（ゴミ取入口１１を通る方向）の中心軸上に位置付けられている。また前記軸孔１４ｂは扁平な突出本体１４ａの略半円形状の中心に貫通して設けられ、突出本体１４ａに垂直、即ち前記中心軸線に垂直な孔として位置付けられている。
軸受部１４は、実際にはＬ字状の折り曲げ片を２枚合わせたものを、上壁１０ｄの上面に鋲Ｂ等で固定することで取り付けられている。
【００１８】
前記操作棒２０はその下端に軸着部２１を設けている。
軸着部２１はその下部を二股片２１ａとしており、その二股片２１ａで前記軸受部１４の突出本体１４ａに外嵌する。
二股片２１ａの下部に軸孔２１ｂが形成されている。この軸孔２１ｂが前記軸受部１４の軸孔１４ｂに合わせられる。
前記軸着部２１の上部は略円筒状の棒受部２１ｃとし、鋲Ｂで操作棒２０と結合して、その一部となるようにしている。
【００１９】
操作棒２０と清掃体１０との連結は、前記軸着部２１の二股片２１ａを軸受部１４の突出本体１４ａに嵌め合わせ、二股片２１ａの軸孔２１ｂと突出本体１４ａの軸孔１４ｂとを合わせ、枢軸ピンとしてボルト２２を軸孔２１ｂ、１４ｂに通し、ナット２３等でボルト２２が脱落しないように締め付けることで行うことができる。
以上により、前記ボルト２２が操作棒２０と清掃体１０との枢軸となり、且つ前記二股片２１ａが前記突出本体１４ａによりガイドされ、操作棒２０が清掃体１０の前後方向略１８０度回動することが可能となる。このとき、前記操作棒２０の軸着部２１が前記清掃体１０の軸受部１４によって邪魔されることはない。
操作棒２０を前後方向に１８０度回動することができることで、小さな側溝Ｄや溝蓋を外し難い排水溝Ｄにも挿入し易くなり、前記清掃体１０を引き取り方向の他、突き取り方向にも操作することができる。
【００２０】
図３、図４を参照して、本考案の溝清掃具の使用例を説明する。
先ず図３を参照して、溝Ｄ内の土砂ＳやゴミＧ等の汚泥を、手前に引き取る作業を説明する。この場合は、操作棒２０が清掃体１０のゴミ取入口１１の前に長く延びるようにする。そして作業者は操作棒２０を持って、清掃体１０を浮かしながら溝Ｄに挿入する。次に操作棒２０の届く範囲で清掃体１０を溝Ｄ内に下ろし、その後、操作棒２０を手前に引き寄せる。これにより溝Ｄ内の土砂ＳやゴミＧをゴミ取入口１１に取り込みながら、同時に掻き出すことができる。
次に図４を参照して、溝Ｄ内の土砂やゴミ等の汚泥を突き取る作業を説明する。この場合は、操作棒２０が清掃体２０の後ろに長く延びるように回動させ、その状態で作業者は操作棒２０を持って、清掃体１０を溝Ｄ内に挿入させる。そして操作棒２０を前に突き押すことで、溝Ｄ内の汚泥をゴミ取入口１１に回収する。これにより、引き取り作業では回収するのが難しい土砂ＳやゴミＧ等の汚泥を、簡単に取ることもできる。
よって引き取りと突き取りの両操作を適宜行うことで、溝Ｄ内を隈なく清掃することができる。
【符号の説明】
【００２１】
１０      清掃体
１０ａ    背壁
１０ｂ    左側壁
１０ｃ    右側壁
１０ｄ    上壁
１０ｅ    底壁
１１      ゴミ取入口
１２      水放出口
１３      掻き取り部
１４      軸受部
１４ａ    突出本体
１４ｂ    軸孔
２０      操作棒
２１      軸着部
２１ａ    二股片
２１ｂ    軸孔
２１ｃ    棒受部
２２      ボルト
２３      ナット
Ｂ        鋲
Ｄ        溝
Ｓ        土砂
Ｇ        ゴミ
【図１】
0003152182.tif 000003
【図２】
0003152182.tif 000004
【図３】
0003152182.tif 000005
【図４】
0003152182.tif 000006